【手続補正書】
【提出日】平成18年2月14日(2006.2.14)
【手続補正１】
【補正対象書類名】明細書
【補正対象項目名】発明の名称
【補正方法】変更
【補正の内容】
【発明の名称】報知停止装置及び報知停止のためのプログラムを記録した記録媒体
【手続補正２】
【補正対象書類名】明細書
【補正対象項目名】特許請求の範囲
【補正方法】変更
【補正の内容】
【特許請求の範囲】
【請求項１】
複数の操作キーを含む操作手段と、
アラーム音や音声データ等を出力する放音手段と、
前記放音手段を駆動する駆動手段と、
前記操作手段の特定のキーが操作されたか否かを判定する入力キー判定手段と、
前記入力キー判定手段により特定のキーが操作されたと判定された場合、前記駆動手段による駆動を停止する停止手段とを備える報知停止装置であって、
前記駆動手段による駆動を開始した時点からの時間を計時する計時手段と、
前記計時手段により計時された時間が所定時間経過したか否かを判断する判断手段とを更に備え、
前記判断手段により所定時間経過したと判断された場合、前記入力キー判定手段は、前記操作手段の任意のキーが操作されたか否かを判定し、前記停止手段は、前記入力キー判定手段により任意のキーが操作されたと判定された場合、前記駆動手段による駆動を停止することを特徴とする報知停止装置。
【請求項２】
現在時刻を計時する現在時刻計時手段と、
報知時刻を設定する報知時刻設定手段と、
前記現在時刻が前記報知時刻になったか否かを比較する比較手段とを更に備え、
前記駆動手段は、前記比較手段により現在時刻が報知時刻になった場合に、駆動を開始することを特徴とする請求項１に記載の報知停止装置。
【請求項３】
装置を振動させる振動手段を更に備え、
前記駆動手段は、前記振動手段を駆動することを特徴とする請求項１または請求項２に記載の報知停止装置。
【請求項４】
操作手段の特定のキーが操作されたか否かを判定する入力キー判定機能と、
前記入力キー判定機能により特定のキーが操作されたと判定された場合、アラーム音や音声データ等を出力する放音手段を駆動する駆動手段による駆動を停止する停止機能と、
前記駆動手段による駆動を開始した時点からの時間を計時する計時機能と、
前記計時機能により計時された時間が所定時間経過したか否かを判断する判断機能とを備え、
前記判断機能により所定時間経過したと判断された場合、前記入力キー判定機能は、前記操作手段の任意のキーが操作されたか否かを判定し、前記停止機能は、前記入力キー判定機能により任意のキーが操作されたと判定された場合、前記駆動手段による駆動を停止するように実行させるプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、アラーム音などによって使用者に報知する機能を持った装置に係り、より具体的には、報知停止のための複数の操作が可能な報知停止装置及び報知停止のためのプログラムを記録した記録媒体に関するものである。
【手続補正４】
【補正対象書類名】明細書
【補正対象項目名】０００４
【補正方法】変更
【補正の内容】
【０００４】
そこで、本発明は、上記課題を解決するためのものであって、アラーム音などによって使用者への報知が開始された時刻より一定の時間は特定のキーを操作することにより報知を終了し、前記一定時間の経過後は、装置の備える複数のキーのうち、いずれかのキーの操作によって報知を停止する、複数の操作手段を備えた報知停止装置及び報知停止のためのプログラムを記録した記録媒体を提供することを目的とする。
【手続補正５】
【補正対象書類名】明細書
【補正対象項目名】０００５
【補正方法】変更
【補正の内容】
【０００５】
【課題を解決するための手段】
本発明の報知停止装置は、複数の操作キーを含む操作手段と、アラーム音や音声データ等を出力する放音手段と、前記放音手段を駆動する駆動手段と、前記操作手段の特定のキーが操作されたか否かを判定する入力キー判定手段と、前記入力キー判定手段により特定のキーが操作されたと判定された場合、前記駆動手段による駆動を停止する停止手段とを備える報知停止装置であって、前記駆動手段による駆動を開始した時点からの時間を計時する計時手段と、前記計時手段により計時された時間が所定時間経過したか否かを判断する判断手段とを更に備え、前記判断手段により所定時間経過したと判断された場合、前記入力キー判定手段は、前記操作手段の任意のキーが操作されたか否かを判定し、前記停止手段は、前記入力キー判定手段により任意のキーが操作されたと判定された場合、前記駆動手段による駆動を停止することを特徴とする。
【手続補正６】
【補正対象書類名】明細書
【補正対象項目名】０００６
【補正方法】変更
【補正の内容】
【０００６】
また、本発明の装置停止装置は、現在時刻を計時する現在時刻計時手段と、報知時刻を設定する報知時刻設定手段と、前記現在時刻が前記報知時刻になったか否かを比較する比較手段とを更に備え、前記駆動手段は、前記比較手段により現在時刻が報知時刻になった場合に、駆動を開始する。また、装置を振動させる振動手段を更に備え、前記駆動手段は、前記振動手段を駆動するように構成してもよい。
【手続補正７】
【補正対象書類名】明細書
【補正対象項目名】０００７
【補正方法】変更
【補正の内容】
【０００７】
本発明のコンピュータ読み取り可能な記録媒体は、操作手段の特定のキーが操作されたか否かを判定する入力キー判定機能と、前記入力キー判定機能により特定のキーが操作されたと判定された場合、アラーム音や音声データ等を出力する放音手段を駆動する駆動手段による駆動を停止する停止機能と、前記駆動手段による駆動を開始した時点からの時間を計時する計時機能と、前記計時機能により計時された時間が所定時間経過したか否かを判断する判断機能とを備え、前記判断機能により所定時間経過したと判断された場合、前記入力キー判定機能は、前記操作手段の任意のキーが操作されたか否かを判定し、前記停止機能は、前記入力キー判定機能により任意のキーが操作されたと判定された場合、前記駆動手段による駆動を停止するように実行させるプログラムを記録したことを特徴とする。
【手続補正８】
【補正対象書類名】明細書
【補正対象項目名】００１０
【補正方法】変更
【補正の内容】
【００１０】
【発明の実施の形態】
以下、本発明の一実施の形態の報知停止装置及び報知停止のためのプログラムを記録した記録媒体について図面を参照しながら説明する。
【手続補正９】
【補正対象書類名】明細書
【補正対象項目名】００１１
【補正方法】変更
【補正の内容】
【００１１】
図１は、本発明における報知停止の複数の操作手段を備えた報知停止装置の外観を示す斜視図である。
【手続補正１０】
【補正対象書類名】明細書
【補正対象項目名】００１２
【補正方法】変更
【補正の内容】
【００１２】
図１において、報知停止装置は、入出力部２と、図示していない赤外線通信部、ペン保持部１−１等を有する本体キャビネット部からなり、内部には表示部と透明なタブレットを一体とした上記入出力部２、赤外線通信部、インターフェース等を制御する制御回路等の必要個所に電源を供給する電源部等を内蔵している。
【手続補正１１】
【補正対象書類名】明細書
【補正対象項目名】００１５
【補正方法】変更
【補正の内容】
【００１５】
図２は、報知停止装置の全体構成を示すブロック図である。入出力部２には、薄型で文字を表示可能なマトリックス方式からなる液晶表示部２−１と、液晶表示部２−１を覆う大きさを有した透明タブレット２−２とからなり、該透明タブレット２−２は例えば、透明なシート２枚の内側面に透明電極を設け通常状態において各々の電極が接触しないように、小さな突起状のスペーサが規則正しく印刷されており、指或いはペンにて指示することにより透明電極が接触し、選択された位置を透明タブレット２−２にて検出することを可能としている。
【手続補正１２】
【補正対象書類名】明細書
【補正対象項目名】００３１
【補正方法】変更
【補正の内容】
【００３１】
次に機能ブロック図である図３を用いて上記中央制御部１１の動作とともに、報知停止動作について説明を行う。
【手続補正１３】
【補正対象書類名】明細書
【補正対象項目名】００４６
【補正方法】変更
【補正の内容】
【００４６】
【発明の効果】
本発明によれば、報音手段を駆動後、その駆動時刻より一定の時間は特定のキーを操作することにより報音を停止し、前記一定時間の経過後は、装置の備えるキーのうち、いずれかのキーの操作によって報音を停止することにより、始めに一定時間は停止キーしかきかないため、使用者が操作中の場合、意図せず報音手段を停止することを防止することができる。
【手続補正１４】
【補正対象書類名】明細書
【補正対象項目名】００４７
【補正方法】変更
【補正の内容】
【００４７】
また、一定時間が経過した後はどのキーを操作しても停止できるため、例えばアラームキーをキーボード上で探して押すことを意識することなく、簡単に、アラーム（放音手段）の停止操作を行うことができる。
【手続補正１５】
【補正対象書類名】明細書
【補正対象項目名】図面の簡単な説明
【補正方法】変更
【補正の内容】
【図面の簡単な説明】
【図１】本発明の報知停止装置の外観斜視図である。
【図２】本発明の報知停止装置の全体構成を示すブロック図である。
【図３】本発明の実施の形態における報知停止装置詳細ブロック図である。
【図４】本発明の実施の形態における報知停止装置の処理を示すフローチャ―トである。
【符号の説明】
１・・・本体キャビネット部
１−１・・・ペン保持部
２・・・入出力部
３・・・蓋部
４・・・キーボード
５・・・スピーカ
６・・・入力ペン
７・・・タブレット制御部
８・・・液晶表示回路部
９・・・コモン回路
１０・・・セグメント回路
１１・・・中央制御部
１２・・・ＲＴＣ
１３・・・水晶発振子
１４・・・本体電源スイッチ
１５・・・ＲＯＭ
１６・・・ＲＡＭ
１７・・・モジュラー部
１８・・・モジュラー制御部
１９・・・プログラムメディア
２０・・・モータ
２１・・・モータ駆動部